(57)【特許請求の範囲】
【請求項１】
化粧板と、該化粧板を複数枚固着する固定板と、隣接する前記化粧板の間に設けられた溝と、該溝中に配置された面発光型の光ファイバーと、該光ファイバーの上方に充填された透明あるいは半透明の充填物と、前記固定板の裏側に取り付けられたバックコンクリートブロックと、からなることを特徴とする装飾ブロック。
【請求項２】
固定板が、パンチプレートであることを特徴とする請求項１記載の装飾ブロック。
【請求項３】
充填物が、ガラスビーズであることを特徴とする請求項１あるいは請求項２記載の装飾ブロック。
【請求項４】
光ファイバーを束ねて保護チューブに装着し、該保護チューブを案内するガイド溝をバックコンクリートブロックの裏側に設けたことを特徴とする請求項１ないし請求項３記載の装飾ブロック。
【請求項５】
化粧板が、タイルであることを特徴とする請求項１ないし請求項４記載の装飾ブロック。
【請求項６】
化粧板が、石材であることを特徴とする請求項１ないし請求項４記載の装飾ブロック。
【請求項７】
光ファイバーを束ねて保護チューブに装着し、該保護チューブの端部にソケットを設け、光源装置への連結を容易としたことを特徴とする請求項１ないし請求項６記載の装飾ブロック。
【請求項８】
固定板に複数の化粧板を互いに間隔を置いて固着し、該間隔によって構成された溝に面発光型の光ファイバーを配置し、該光ファイバーの上方に透明あるいは半透明の充填物を充填し、この半製品を型枠に入れて生コンクリートを投入し、固定板の裏側にバックコンクリートブロックを固定したことを特徴とする装飾ブロックの製造方法。
【請求項９】
光ファイバーを束ねて保護チューブに装着し、該保護チューブを型枠の外側に出して生コンクリートの投入を行なうことを特徴とする請求項８記載の装飾ブロックの製造方法。
【請求項１０】
固定板に複数の化粧板を互いに間隔を置いて固着し、該間隔によって構成された溝に面発光型の光ファイバーを配置し、該光ファイバーの上方に透明あるいは半透明の充填物を充填し、この半製品を複数枚組み付けて大型のパネルとし、この大型のパネルを型枠に入れて生コンクリートを投入し、固定板の裏側にバックコンクリートブロックを固定したことを特徴とする装飾ブロックの製造方法。
【請求項１１】
固定板に複数の化粧板を互いに間隔を置いて固着し、該間隔によって構成された溝に面発光型の光ファイバーを配置し、該光ファイバーの上方に透明あるいは半透明の充填物を充填し、この半製品を型枠に入れて生コンクリートを投入し、固定板の裏側にバックコンクリートブロックを固定し、これらを複数枚互いに固定することにより大型化したことを特徴とする装飾ブロックの製造方法。
【発明の詳細な説明】
【０００１】
【産業上の利用分野】
本発明は、建築物、構築物や舗道を構成する装飾ブロックに関し、更に詳しくは発光することにより夜間でも該装飾ブロックの存在の確認が容易であり、かつ美観を向上させた装飾ブロックの構造及び該装飾ブロックの製造方法に関する。
【０００２】
【従来の技術】
建築物、擁壁、舗道等に使用されているコンクリートブロックは、模様、彩色等を施すことなく、そのままの状態で使用されていることが多い。
ところが、コンクリートブロックを使用している場所や環境にマッチングするように模様や彩色を施し、それに接した人たちに快適感や安心感を与えるように工夫されたものも多数採用されつつある。例えば、建物の壁面、擁壁、舗道に彩色の模様や絵図を描くため、個々のコンクリートブロックに彩色や模様を施して使用している。
又、硝子製のブロックの裏面にランプを取り付け、該硝子製のブロックが発光するようにしたものも公知である。
【０００３】
一方、図２に示すように、コンクリートブロック１の表面に縦横に溝２を形成し、該溝２の中に面発光型の光ファイバー３を埋設した構造の建築物、擁壁、舗道等に使用されているコンクリートブロックも従来公知である。この公知のコンクリートブロック１では、光源４の光をカラーフイルタ５によって着色し、この着色した光を光ファイバー３に入力させることにより、種々の色彩を採用できるようにしている。
【０００４】
【発明が解決しようとする課題】
上記従来公知の面発光型の光ファイバー３を使用したコンクリートブロックには、以下のような問題点があった。
まず、コンクリートブロック１の表面に縦横に溝２を形成しなければならないので、その製造に手間取るものとなっている。
【０００５】
また、コンクリートブロックがそのまま剥き出しとなっているので、表面の外観が悪く、美観上良い印象を与えない。
【０００６】
更に、光ファイバー３を埋設する作業に手間取る上、束ねた光ファイバーをコンクリートブロック１の裏面や側面から取り出す構造が複雑である。
【０００７】
そこで、本発明の目的は前記欠点を改善し、光ファイバーを埋設する溝の形成が容易であり、かつ表面が美麗であると同時に、束ねた光ファイバーの取り出し構造が簡単な装飾ブロック及び該装飾ブロックの製造方法を提供するにある。
【０００８】
【課題を解決するための手段】
本発明の特徴とするところは、化粧板と、該化粧板を複数枚固着する固定板と、隣接する前記化粧板の間に設けられた溝と、該溝中に配置された面発光型の光ファイバーと、該光ファイバーの上方に充填された透明あるいは半透明の充填物と、前記固定板の裏側に取り付けられたバックコンクリートブロックと、からなる装飾ブロックにある。
【０００９】
本発明の他の特徴とするところは、固定板に複数の化粧板を互いに間隔を置いて固着し、該間隔によって構成された溝に面発光型の光ファイバーを配置し、該光ファイバーの上方に透明あるいは半透明の充填物を充填し、この半製品を型枠に入れて生コンクリートを投入し、固定板の裏側にバックコンクリートブロックを固定した装飾ブロックの製造方法にある。
【００１０】
【実施例】
以下、図によって本発明の一実施例について説明する。
図１は本発明の一実施例を示す一部を破断した斜視図である。
【００１１】
多数の開口１１を有するパンチプレート１２の表面に複数の化粧板１３が接着されている。隣接する化粧板１３の間には間隔が設けられており、該間隔によって溝１４が構成されている。溝１４には面発光型の光ファイバー１５が配置されている。光ファイバー１５が配置された溝１４の上方には透明な充填物１６が充填されている。
【００１２】
ここで、パンチプレート１２の材料には限定がなく、例えば金属プレートやプラスチックプレート等、適宜の材料が選択採用される。
また、化粧板１３の材料についても限定があるものではなく、タイル、石材、硬質プラスチック、強化コンクリート等が選択採用される。
更にまた、充填物１６は、ガラス、ガラスビーズ、透明なプラスチック等で構成される。
更に、化粧板１３の形状は、図示の実施例である正方形に限定されるものではなく、長方形、菱形、その他、曲面形状とすることもできるものである。その結果、溝４の形状は、この実施例の縦横の直線模様に限定されず、その他の幾何学的な模様状に形成することも可能である。
また、光ファイバー１５は面発光の光ファイバーであり、外周面から光が漏れて線状に発光するものである。配置される光ファイバー１５の本数は、１本でも良いし複数本でも良い。この場合、複数本の方が光量が増大する他、個々に別色の光発光させることにより、装飾効果を増大させることもできる。
【００１３】
それぞれの溝４に配置された光ファイバー１５は１束にまとめられて保護チューブ１７に内装され、保護チューブ１７の端部に設けられたソケット１８を介して図示しない光源装置に連結されている。
【００１４】
パンチプレート１２の裏面にはバックコンクリートブロック１９が取り付けられている。バックコンクリートブロック１９は底面に保護チューブ１７を案内するためのガイド溝２０が形成されている。このバックコンクリートブロック１９の取り付け作業については後述する。
【００１５】
以上のように構成された本発明の装飾ブロックの製造方法について以下に説明する。まず、パンチプレート１２に接着剤を塗着して化粧板１３を貼り付ける。そして、溝１４に光ファイバー１５を配置する。その後、光ファイバー１５の上に透明あるいは半透明の充填物１６を充填し、必要に応じて接着剤によって充填物１６を固定する。上記パンチプレート１２に化粧板１３、光ファイバー１５を取り付けた状態の半製品を型枠に入れて生コンクリートを投入する。そして、図示の状態の製品とする。この場合、パンチプレート１２の開口１１を通じて生コンクリートが化粧板１３の裏面に入り込み、バックコンクリートブロック１９と化粧板１３とが接着され、一体化が促進されて強度が向上する。
【００１６】
上記光ファイバー１５は、それらを束ねて保護チューブ１７に装着し、該保護チューブ１７を型枠の外側に出して生コンクリートの投入を行なうことができる。
【００１７】
また、上記パンチプレート１２に複数の化粧板１３を互いに間隔を置いて固着し、該間隔によって構成された溝に面発光型の光ファイバー１５を配置し、該光ファイバー１５の上方に透明あるいは半透明の充填物を充填し、この半製品を複数枚組み付けて大型のパネルとし、この大型のパネルを型枠に入れて生コンクリートを投入し、固定板の裏側にバックコンクリートブロックを固定して装飾ブロックを製造する。
【００１８】
更に、上記パンチプレート１２に複数の化粧板を互いに間隔を置いて固着し、該間隔によって構成された溝に面発光型の光ファイバーを配置し、該光ファイバーの上方に透明あるいは半透明の充填物を充填し、この半製品を型枠に入れて生コンクリートを投入し、固定板の裏側にバックコンクリートブロックを固定し、これらを複数枚互いに固定することにより大型化した装飾ブロックを製造する。
【００１９】
該装飾ブロックが舗道として用いられている場合には、夜間に該舗道面に模様が浮かび上がり、歩行者が舗道と車道の存在の確認（区別等）を簡単に行える上、美観や雰囲気を向上させるものとなる。色付けされる光線の色彩を順次変更すると、装飾ブロックから発光する色が刻々と変化し、一層存在の確認や美観、雰囲気が向上するものとなる。
【００２０】
尚、上記実施例では、パンチプレート１２を用いているが、パンチプレート１２は必ずしも必須の構成ではなく、開口のない平板であっても良い。パンチプレート１２の機能は、化粧板１３とバックコンクリートブロック１９とを互いに固着する固定板であれば足りる。
【００２１】
又、本発明の装飾ブロックは舗道の他、建造物の壁面のすべてに利用可能であり、それらも本発明に含まれるものであることは明白である。
【００２２】
【発明の効果】
以上説明したように、本発明によると以下のような効果を奏する。まず、化粧板の取り付けだけで光ファイバーの取り付け溝を構成することができるので、その製造が簡単であり、低コストとなる。
【００２３】
また、化粧板を用いているので、装飾ブロックの表面が美麗となり、表面の外観が良好となり、美観上良い印象を与えるものとなる。
【００２４】
更に、光ファイバーを埋設する作業が簡単となり、束ねた光ファイバーをバックコンクリートブロックの裏面や側面から取り出す構造が簡単となる。
舗道に敷き詰めるブロックとして利用すると、舗道と車道の区別が夜間でも確実に確認でき、安全で安心な舗道が得られる上、美観や雰囲気を向上させることができる。
【図面の簡単な説明】
【図１】図１は本発明の一実施例を示す装飾ブロックの一部破断斜視図である。
【図２】図２は公知の装飾ブロックの一部破断斜視図である。
【符号の説明】
１１  開口
１２  パンチプレート
１３  化粧板
１４  溝
１５  光ファイバー
１６  充填物
１７  保護チューブ
１８  ソケット
１９  バックコンクリートブロック
２０  ガイド溝
【図１】
0003684252.tif 000002
【図２】
0003684252.tif 000003